【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
ａ）酸化、熱又は光により誘発される分解を受ける有機材料、及び
ｂ）式Ｉ
【化１】
2008511705.tif 000001
（式中、
ｎが１である場合、
Ｒ1は、
【化２】
2008511705.tif 000002
−ＳＯＲ10、−ＳＯ2Ｒ10、又は−ＣＮを表すか；又はＲ1及びＲ3が一緒に
【化３】
2008511705.tif 000003
を形成し；及び
ｎが２である場合、
Ｒ1は、
【化４】
2008511705.tif 000004
を表し、
Ｒ2及びＲ3は互いに独立して、水素原子、炭素原子数１ないし４のアルキル基、
【化５】
2008511705.tif 000005
−ＳＯＲ10、−ＳＯ2Ｒ10、又は−ＣＮを表すが、但し、Ｒ2又はＲ3のうち少なくとも１
つは水素原子を表し；
Ｒ4及びＲ5は互いに独立して、水素原子又は炭素原子数１ないし２５のアルキル基を表し、
Ｒ6、Ｒ7及びＲ8は互いに独立して、水素原子、炭素原子数１ないし２５のアルキル基
、
【化６】
2008511705.tif 000006
−ＳＯＲ10、−ＳＯ2Ｒ10、−ＣＮ、
【化７】
2008511705.tif 000007
未置換の又は炭素原子数１ないし４のアルキル基で置換されたフェニル基を表すか；又は基Ｒ6、Ｒ7又はＲ8の２つは、それらが結合する炭素原子と一緒になって式Ｉａ、Ｉｂ又
はＩｃ
【化８】
2008511705.tif 000008
で表される基を形成するが、但し、基Ｒ6、Ｒ7又はＲ8のうち少なくとも２つは水素原子
とは異なり、
Ｒ9は、水素原子、炭素原子数１ないし２５のアルキル基、炭素原子数７ないし９のフ
ェニルアルキル基、未置換の又は炭素原子数１ないし４のアルキル基で置換されたフェニル基；未置換の又は炭素原子数１ないし４のアルキル基で置換された炭素原子数５ないし８のシクロアルキル基を表し；
Ｒ10は、水素原子、炭素原子数１ないし２５のアルキル基、炭素原子数７ないし９のフェニルアルキル基、未置換の又は炭素原子数１ないし４のアルキル基で置換されたフェニル基；未置換の又は炭素原子数１ないし４のアルキル基で置換された炭素原子数５ないし８のシクロアルキル基；又は酸素原子又は硫黄原子により中断された炭素原子数３ないし２５のアルキル基を表し；
Ｒ11及びＲ12は互いに独立して、水素原子、炭素原子数１ないし２５のアルキル基、炭素原子数７ないし９のフェニルアルキル基、未置換の又は炭素原子数１ないし４のアルキル基で置換されたフェニル基を表すか；又はＲ11及びＲ12は、それらが結合する窒素原子と一緒になって、未置換であるか或いは炭素原子数１ないし４のアルキル基により置換されたか、又は酸素原子、硫黄原子又は
【化９】
2008511705.tif 000009
により中断された５−、６−又は７−員環のヘテロ環式環を形成し、
Ｒ13は、炭素原子数２ないし１８のアルキレン基、酸素原子、硫黄原子又は
【化１０】
2008511705.tif 000010
により中断された炭素原子数４ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、炭素原子数７又は８のビシクロアルキレン基、未置換の又は炭素原子数１ないし４のアルキル基で置換されたフェニレン基を表し；
Ｒ14及びＲ15は互いに独立して、水素原子又は炭素原子数１ないし８のアルキル基を表し、
Ｒ16、Ｒ17、Ｒ18及びＲ19は互いに独立して、水素原子、塩素原子、ヒドロキシル基、炭素原子数１ないし２５のアルキル基、炭素原子数７ないし９のフェニルアルキル基、未置換の又は炭素原子数１ないし４のアルキル基で置換されたフェニル基；未置換の又は炭素原子数１ないし４のアルキル基で置換された炭素原子数５ないし８のシクロアルキル基；炭素原子数１ないし１８のアルコキシ基、炭素原子数１ないし１８のアルキルチオ基、炭素原子数１ないし４のアルキルアミノ基、ジ−（炭素原子数１ないし４のアルキル）アミノ基、炭素原子数１ないし２５のアルカノイルオキシ基、炭素原子数１ないし２５のアルカノイルアミノ基、炭素原子数３ないし２５のアルケノイルオキシ基、酸素原子、硫黄原子又は
【化１１】
2008511705.tif 000011
により中断された炭素原子数３ないし２５のアルカノイルオキシ基；炭素原子数６ないし９のシクロアルキルカルボニルオキシ基、ベンゾイルオキシ基又は炭素原子数１ないし１２のアルキル基で置換されたベンゾイルオキシ基を表すか；又は置換基Ｒ16とＲ17又はＲ
17とＲ18又はＲ18とＲ19の各々の対は、結合する炭素原子と一緒にベンゼン環を形成し；
Ｒ20は、水素原子、炭素原子数１ないし８のアルキル基又はベンジル基を表し、及びｎは１又は２である。）
で表される少なくとも１種の化合物
を含む組成物。
【請求項２】
成分（ａ）及び（ｂ）の他に、他の添加剤をさらに含む、請求項１に記載の組成物。
【請求項３】
式Ｉ’
【化１２】
2008511705.tif 000012
（式中、
ｎが１である場合、
Ｒ1は、
【化１３】
2008511705.tif 000013
−ＳＯＲ10、−ＳＯ2Ｒ10、又は−ＣＮを表すか；又はＲ1及びＲ3が一緒に
【化１４】
2008511705.tif 000014
を形成し；及び
ｎが２である場合、
Ｒ1は、
【化１５】
2008511705.tif 000015
を表し、
Ｒ2及びＲ3は互いに独立して、水素原子、炭素原子数１ないし４のアルキル基、
【化１６】
2008511705.tif 000016
−ＳＯＲ10、−ＳＯ2Ｒ10、又は−ＣＮを表すが、但し、Ｒ2又はＲ3のうち少なくとも１
つは水素原子を表し；
Ｒ4及びＲ5は互いに独立して、水素原子又は炭素原子数１ないし２５のアルキル基を表し、
基Ｒ6、Ｒ7又はＲ8の２つは、それらが結合する炭素原子と一緒になって式Ｉａ、Ｉｂ
又はＩｃ
【化１７】
2008511705.tif 000017
で表される基を形成し、及び他の基Ｒ6、Ｒ7又はＲ8は、水素原子、炭素原子数１ないし
２５のアルキル基、未置換の又は炭素原子数１ないし４のアルキル基で置換されたフェニル基を表し、
Ｒ9は、水素原子、炭素原子数１ないし２５のアルキル基、炭素原子数７ないし９のフ
ェニルアルキル基、未置換の又は炭素原子数１ないし４のアルキル基で置換されたフェニル基；未置換の又は炭素原子数１ないし４のアルキル基で置換された炭素原子数５ないし８のシクロアルキル基を表し；
Ｒ10は、水素原子、炭素原子数１ないし２５のアルキル基、炭素原子数７ないし９のフェニルアルキル基、未置換の又は炭素原子数１ないし４のアルキル基で置換されたフェニル基；未置換の又は炭素原子数１ないし４のアルキル基で置換された炭素原子数５ないし８のシクロアルキル基；又は酸素原子又は硫黄原子により中断された炭素原子数３ないし２５のアルキル基を表し；
Ｒ11及びＲ12は互いに独立して、水素原子、炭素原子数１ないし２５のアルキル基、炭素原子数７ないし９のフェニルアルキル基、未置換の又は炭素原子数１ないし４のアルキル基で置換されたフェニル基を表すか；又はＲ11及びＲ12は、それらが結合する窒素原子と一緒になって、未置換であるか或いは炭素原子数１ないし４のアルキル基により置換されたか、又は酸素原子、硫黄原子又は
【化１８】
2008511705.tif 000018
により中断された５−、６−又は７−員環のヘテロ環式環を形成し、
Ｒ13は、炭素原子数２ないし１８のアルキレン基、酸素原子、硫黄原子又は
【化１９】
2008511705.tif 000019
により中断された炭素原子数４ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、炭素原子数７又は８のビシクロアルキレン基、未置換の又は炭素原子数１ないし４のアルキル基で置換されたフェニレン基を表し；
Ｒ14及びＲ15は互いに独立して、水素原子又は炭素原子数１ないし８のアルキル基を表し、
Ｒ16、Ｒ17、Ｒ18及びＲ19は互いに独立して、水素原子、塩素原子、ヒドロキシル基、炭素原子数１ないし２５のアルキル基、炭素原子数７ないし９のフェニルアルキル基、未置換の又は炭素原子数１ないし４のアルキル基で置換されたフェニル基；未置換の又は炭素原子数１ないし４のアルキル基で置換された炭素原子数５ないし８のシクロアルキル基；炭素原子数１ないし１８のアルコキシ基、炭素原子数１ないし１８のアルキルチオ基、炭素原子数１ないし４のアルキルアミノ基、ジ−（炭素原子数１ないし４のアルキル）アミノ基、炭素原子数１ないし２５のアルカノイルオキシ基、炭素原子数１ないし２５のアルカノイルアミノ基、炭素原子数３ないし２５のアルケノイルオキシ基、酸素原子、硫黄原子又は
【化２０】
2008511705.tif 000020
により中断された炭素原子数３ないし２５のアルカノイルオキシ基；炭素原子数６ないし９のシクロアルキルカルボニルオキシ基、ベンゾイルオキシ基又は炭素原子数１ないし１２のアルキル基で置換されたベンゾイルオキシ基を表すか；又は置換基Ｒ16とＲ17又はＲ17とＲ18又はＲ18とＲ19の各々の対は、結合する炭素原子と一緒にベンゼン環を形成し；
Ｒ20は、水素原子、炭素原子数１ないし８のアルキル基又はベンジル基を表し、及びｎは１又は２である。）
で表される化合物。